(57)【要約】【課題】シール溝に溜まる水を外部へ排出し、耐水性を向上することができるシール付き転がり軸受を提供する。【解決手段】シール付き転がり軸受１０では、シール部材２０は、弾性材２２の内周部で径方向内側に延びる首部２３と、該首部２３から軸方向内側に延び、内輪１２に形成されたシール溝１２ｂに締め代を持って摺接する主リップ２４と、首部２３から軸方向外側に延び、シール溝１２ｂに非接触、且つ、近接して配置される副リップ２５と、を有する。副リップ２５には、円周方向の少なくとも一箇所に切り欠き２７が設けられている。【選択図】図２
2018080756.tif 000002
【特許請求の範囲】
【請求項１】
内周面に外輪軌道面を有する外輪と、外周面に内輪軌道面を有する内輪と、前記外輪軌道面と前記内輪軌道面との間に転動自在に介設される複数の転動体と、前記外輪の軸方向端部に取り付けられ、芯金及び前記芯金に被覆される弾性材を有するシール部材と、を備えるシール付き転がり軸受であって、
前記シール部材は、前記弾性材の内周部で径方向内側に延びる首部と、該首部から軸方向内側に延び、前記内輪に形成されたシール溝に締め代を持って摺接する主リップと、前記首部から軸方向外側に延び、前記シール溝に非接触、且つ、近接して配置される副リップと、を有し、
前記副リップには、円周方向の少なくとも一箇所に切り欠きが設けられていることを特徴とするシール付き転がり軸受。
【請求項２】
前記副リップには、前記切り欠きの径方向外側で、軸方向外側且つ径方向外側に傾斜して延びる庇部が設けられることを特徴とする請求項１に記載のシール付き転がり軸受。
【発明の詳細な説明】
【技術分野】
【０００１】
本発明は、軸受内部にダストや水等が浸入することを防止し、且つ軸受内部に封入されたグリースの漏洩を防止するシール付き転がり軸受に関する。
【背景技術】
【０００２】
例えば、自動車のエンジンルーム内には、オルタネータ、エアコン用のコンプレッサ等の補機類や、その補機類を駆動するためのプーリが設置されている。そして、これらの補機類やプーリは、エンジン周りに設置されており、水、泥砂、泥水等の異物と直接的或いは間接的に接する条件下で使用される。
【０００３】
また、これらの補機類やプーリには数多くの転がり軸受が組み込まれており、この軸受内部に異物が浸入した場合、軸受内部の潤滑状態が低下し、短時間で軸受に不具合が生じる可能性がある。また、この軸受内部に封入されたグリースが外部に漏洩した場合は、軸受周りの装置や部品類に付着し、その機能を低下させてしまう可能性がある。
【０００４】
そこで、従来、このような環境で使用される転がり軸受として、軸受内部に異物が浸入することを防止すると共に、軸受内部に封入されたグリースが外部に漏洩することを防止するシール付き転がり軸受が知られている（例えば、特許文献１参照）。
【０００５】
特許文献１に記載のシール付き転がり軸受のシール部材は、径方向内側に延びる首部を有し、首部の先端部から軸方向内側に延びる主リップと、この主リップから分岐し、軸方向外側に延びる副リップとを備える。そして、主リップが内輪の外周面に形成される内輪シール溝に接触すると共に、副リップが内輪シール溝と非接触ではあるが近接して設けられている。
【先行技術文献】
【特許文献】
【０００６】
【特許文献１】特開２００８−１７５３０１号公報（図８−図１０）
【発明の概要】
【発明が解決しようとする課題】
【０００７】
ところで、特許文献１に記載のシール付き転がり軸受では、副リップ部は内輪シール溝と近接して設けられていることから、主リップ部へのダスト侵入を防ぐことに効果がある一方、水が浸入した場合は近接されているために水が外部へ排出され難くなり、シール溝部に溜まった水が主リップを押し上げ軸受内部へ水浸入してしまうという懸念点があった。
【０００８】
本発明は、このような不都合を解消するためになされたものであり、その目的は、シール溝に溜まる水を外部へ排出し、耐水性を向上することができるシール付き転がり軸受を提供することにある。
【課題を解決するための手段】
【０００９】
本発明の上記目的は、下記の構成により達成される。
（１）  内周面に外輪軌道面を有する外輪と、外周面に内輪軌道面を有する内輪と、前記外輪軌道面と前記内輪軌道面との間に転動自在に介設される複数の転動体と、前記外輪の軸方向端部に取り付けられ、芯金及び前記芯金に被覆される弾性材を有するシール部材と、を備えるシール付き転がり軸受であって、
前記シール部材は、前記弾性材の内周部で径方向内側に延びる首部と、該首部から軸方向内側に延び、前記内輪に形成されたシール溝に締め代を持って摺接する主リップと、前記首部から軸方向外側に延び、前記シール溝に非接触、且つ、近接して配置される副リップと、を有し、
前記副リップには、円周方向の少なくとも一箇所に切り欠きが設けられていることを特徴とするシール付き転がり軸受。
（２）  前記副リップには、前記切り欠きの径方向外側で、軸方向外側且つ径方向外側に傾斜して延びる庇部が設けられることを特徴とする（１）に記載のシール付き転がり軸受。
【発明の効果】
【００１０】
本発明のシール付き転がり軸受によれば、シール部材は、弾性材の内周部で径方向内側に延びる首部と、該首部から軸方向内側に延び、内輪に形成されたシール溝に締め代を持って摺接する主リップと、首部から軸方向外側に延び、シール溝に非接触、且つ、近接して配置される副リップと、を有し、副リップには、円周方向の少なくとも一箇所に切り欠きが設けられている。これにより、シール溝に溜まる水を外部へ排出し、軸受内部への水浸入を防ぐことができ、耐水性を向上することができる。また、副リップは、シール溝と近接して配置されるので、従来同様、ダスト侵入を防ぐことができる。
【図面の簡単な説明】
【００１１】
【図１】本発明の一実施形態に係るシール付き転がり軸受を説明するための要部断面図である。
【図２】（ａ）は、シール部材の断面図であり、（ｂ）は、シール部材の部分斜視図である。
【図３】シール部材の正面図である。
【図４】（ａ）は、本実施形態の第１変形例に係るシール付き転がり軸受を説明するための要部断面図であり、（ｂ）は、シール部材の部分斜視図である。
【図５】本実施形態の第２変形例に係るシール付き転がり軸受のシール部材の正面図である。
【図６】（ａ）は、本実施形態の第３変形例に係るシール付き転がり軸受を説明するための要部断面図であり、（ｂ）は、シール部材の部分斜視図である。
【発明を実施するための形態】
【００１２】
以下、本発明の一実施形態に係るシール付き転がり軸受について、図面を参照して詳細に説明する。
【００１３】
本実施形態のシール付き転がり軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動自在に介設される複数の転動体１３と、転動体１３を円周方向に等間隔に保持する保持器１４と、外輪１１の軸方向端部に取り付けられ、芯金２１及び弾性材２２を有するシール部材２０と、を備える。
【００１４】
シール部材２０は、一枚の円環板状体を所要の形状に加工してなる芯金２１に、ゴムやエラストマー等の弾性材２２を被覆して成形され、全体が円環板状に形成される。また、シール部材２０は、その外周縁部を外輪１１の内周面の軸方向両端部に形成される外輪シール取付溝１１ｂに嵌合することによって、外輪１１の内周面の軸方向端部に支持固定される。
【００１５】
また、図２も参照して、シール部材２０の弾性材２２は、その内周部で、径方向内側に延びる首部２３と、該首部２３から軸方向内側に延びる主リップ２４と、首部２３から軸方向外側に延びる副リップ２５と、を有する。
主リップ２４は、内輪１２に形成されたシール溝１２ｂの外向き壁面１２ｂ１に締め代を持って摺接する。副リップ２５は、シール溝１２ｂの内向き壁面１２ｂ２の大径部分に非接触、且つ、近接して配置される。なお、シール溝１２ｂの内向き壁面１２ｂは、軸方向外側且つ径方向外側に傾斜している。
【００１６】
さらに、弾性材２２は、首部２３の根元部付近より半径方向内方及び軸方向内方に延び、内輪１２の外周面と非接触のグリースリップ２６を有する。
このようなシール部材２０を備えることで、軸受内部に異物が浸入することを防止すると共に、軸受内部に封入されたグリースが外部に漏洩することを防止している。
【００１７】
また、本実施形態では、図２及び図３に示すように、副リップ２５には、円周方向の一箇所に切り欠き２７が設けられている。これにより、切り欠き２７が形成された位置では、シール部材２０と内輪１２のシール溝１２ｂとの間に水が流通可能な隙間が形成される。したがって、シール溝１２ｂに溜まる水を切り欠き２７から外部へ排出し、軸受内部への水浸入を防ぐことができ、耐水性を向上することができる。
【００１８】
なお、切り欠き２７は、内輪１２のシール溝１２ｂとの間で水を外部に排出できる隙間を形成するものであればよく、図２に示すように、副リップ２５の根元部から副リップ２５全体を切り欠かれてよいし、副リップ２５を部分的に切り欠いてもよい。
【００１９】
また、本実施形態の第１変形例として、図４に示すように、シール部材２０ａは、弾性体２２がグリースリップ２６を有しない構成であってもよい。
【００２０】
また、本実施形態の第２変形例として、図５に示すように、シール部材２０ｂでは、弾性体２２の切り欠き２７が、円周方向に等間隔で複数設けられてもよい。つまり、本発明のシール部材は、円周方向の少なくとも一箇所に切り欠き２７を有する構成であればよい。
【００２１】
さらに、本実施形態の第３変形例として、図６に示すように、シール部材２０ｃでは、弾性材２２の副リップ２５に、切り欠き２７の径方向外側で、軸方向外側且つ径方向外側に傾斜して延びる庇部２５ａが設けられる。つまり、庇部２５ａは、副リップ２５よりも径方向外側に延びることで、切り欠き２７を形成している。これにより、切り欠き２７が形成される位置においても、ダストの侵入を抑制することができる。
【００２２】
その他、上記実施形態において例示した外輪、外輪軌道面、内輪、内輪軌道面、保持器、転動体、シール部材等の材質、形状、寸法、形態、数、配置個所等は本発明を達成できるものであれば任意であり、限定されるものでない。また、上述した実施形態及び各変形例は、実施可能な範囲において組み合わせ可能である。
【００２３】
また、本発明のシール付き転がり軸受は、内輪回転、外輪回転の両方に適用可能である。例えば、内輪回転において、回転されているときは、切り欠きがない状態でも副リップは非接触なので隙間から水が排出され、回転していないときに、水を排出できるように切り欠きを設けている。
【符号の説明】
【００２４】
１０    シール付き転がり軸受
１１    外輪
１１ａ  外輪軌道面
１１ｂ  外輪シール取付溝
１２    内輪
１２ａ  内輪軌道面
１２ｂ  内輪シール溝
１３    転動体
１４    保持器
２０    シール部材
２１    芯金
２２    弾性材
２３    首部
２４    主リップ
２５    副リップ
２５ａ  庇部
２６    グリースリップ
２７    切り欠き
【図１】
2018080756.tif 000003
【図２】
2018080756.tif 000004
【図３】
2018080756.tif 000005
【図４】
2018080756.tif 000006
【図５】
2018080756.tif 000007
【図６】
2018080756.tif 000008